(57)【要約】【課題】この発明は、光磁気記録装置およびその磁界印加方法に関し、書込むマーク長に対応させて印加磁界の大きさを制御することにより、発熱の制御、記録の安定性、信頼性の向上を図ることを課題とする。【解決手段】  レーザ光を生成する光源と、光源から出射されたレーザ光を光情報記録媒体に集光するレンズ群と、光源から出射されるレーザ光のタイミングを制御する光源制御部と、光情報記録媒体上のレーザ光の照射位置の近傍に磁界を発生させる磁界生成部と、磁界生成部によって発生する磁界の大きさを制御する磁界制御部と、前記光源制御部および磁界制御部に、光情報記録媒体に書込むべきマークに対応した制御情報を与える書込部とを備え、磁界制御部が、与えられた制御情報から書込むべきマークのマーク長の情報を抽出し、マーク長に対応した大きさの磁界が発生するように磁界生成部を制御する。【選択図】図１
2005276305.tif 000002
【特許請求の範囲】
【請求項１】
レーザ光を生成する光源と、光源から出射されたレーザ光を光情報記録媒体に集光するレンズ群と、光源から出射されるレーザ光のタイミングを制御する光源制御部と、光情報記録媒体上のレーザ光の照射位置の近傍に磁界を発生させる磁界生成部と、磁界生成部によって発生する磁界の大きさを制御する磁界制御部と、前記光源制御部および磁界制御部に、光情報記録媒体に書込むべきマークに対応した制御情報を与える書込部とを備え、
磁界制御部が、与えられた制御情報から書込むべきマークのマーク長の情報を抽出し、マーク長に対応した大きさの磁界が発生するように磁界生成部を制御することを特徴とする光磁気記録装置。
【請求項２】
前記磁界制御部は、マーク長が長いほど発生する磁界の大きさが小さくなるように磁界生成部を制御することを特徴とする請求項１の光磁気記録装置。
【請求項３】
前記磁界生成部がコイルからなり、前記磁界制御部が少なくとも一つのコンデンサを有して前記コイルと磁界制御部とによって共振回路を形成し、前記共振回路が、書込むべきマークのマーク長に対応して周波数が変化する電流を生成し、共振回路の周波数特性が、前記電流の周波数が低いほどコイルで発生する磁界の大きさも小さい特性であることを特徴とする請求項１の光磁気記録装置。
【請求項４】
光情報記録媒体上の所定の位置を加熱するための光を生成する光源と、光源を制御する光源制御部と、光情報記録媒体に書込むべきマークに対応した磁界を生成する磁界生成部と、磁界生成部を制御する磁界制御部と、前記光源制御部と磁界制御部とに書込むべきマークに対応した制御情報を与える書込部とを備えた光磁気記録装置の磁界印加方法であって、前記書込部が、入力されたデータに対応したマーク長に関する情報を含む制御情報を光源制御部と磁界制御部に与えると、前記光源制御部は、与えられた制御情報から光源から出射する光の発光タイミングを示す情報を生成して光源に与え、前記磁界制御部は、与えられた制御情報のうちマーク長に関する情報を用いて、そのマーク長に対応した大きさの磁界が磁界生成部から発生されるように、磁界の大きさおよび印加タイミングを示す情報を生成して磁界生成部に与え、与えられた発光タイミングで前記光源から光が出射されるのと同期して、与えられた印加タイミングで前記磁界生成部から所定の大きさの磁界が発生され、光情報記録媒体上の加熱位置に、磁気情報が書き込まれることを特徴とする光磁気記録装置の磁界印加方法。
【発明の詳細な説明】
【技術分野】
【０００１】
この発明は、光磁気記録装置に関し、特に、記録媒体にレーザ光を照射すると共に、変調磁界を印加して、記録媒体に磁化マークを記録する光磁気記録装置と記録方法に関する。
【背景技術】
【０００２】
大容量の情報を記録する書換え可能な媒体として、光磁気記録媒体がある。この光磁気記録媒体に情報を記録する方法として磁界変調型の記録方法が提案されている。
【０００３】
磁界変調型の記録方法は、記録のためのレーザ光を集光レンズで集光したマイクロスポットを光磁気記録媒体（以下、媒体と略記する）の記録層に照射することにより、媒体の記録層の温度をキュリー点に近づける。そしてその状態で、記録情報に基づいて変調された高周波電流を磁界発生変調コイル（以下、コイルと略記する）に流し、垂直磁界を媒体にかけることにより、媒体の記録層の垂直磁化方向を反転させて記録層に情報の記録（または情報の消去）を行っている。
【０００４】
しかし、集光レンズ及びコイルとをスライダに搭載し、媒体面に対し微小間隔に浮上するタイプや、媒体面に摺接するタイプの光磁気記録用光学ヘッドにおいては、コイルに高周波電流が印加されるとコイルのインピーダンスにより熱が発生する。この熱により媒体の記録層の温度が上昇し、記録層への記録が正常にできないという問題があった。また、確実にマークを記録するためには、できるだけコイルに大電流を流して大きな磁界をかけることが好ましいが、大電流を流すほど、コイル近傍の温度が上昇するので、コイルが破損する場合もあった。したがって、コイルに流す電流の大きさ、言いかえれば磁界の大きさには限界がある。そこで、ある程度大きな電流を流しながらも、媒体の記録層の温度上昇を抑止するための冷却構造や発熱を抑制する記録方法がいくつか提案されている（特許文献１、２）。
【特許文献１】特開２００１−３０７３０２号公報
【特許文献２】特開２００１−７６３９４号公報
【発明の開示】
【発明が解決しようとする課題】
【０００５】
ところで、従来の磁界変調型の記録方法では、コイルに印加される高周波電流の周波数によらず、常に同一の大きさの磁界が生じるように設計されていた。
また、記録されるマークの長さ（マーク長）にはいくつかの長さがあるが（最小約２００ｎｍ〜最大約８００ｎｍ）、どの長さのマークを記録する場合でも、同じ大きさの磁界を印加して記録していた。
しかし、マーク長をいろいろ異ならせて、記録磁界の大きさ〔Ｏｅ〕とＣ／Ｎ〔ｄＢ〕との関係を調べると、次のような関係があることがわかった。
【０００６】
図６に、記録磁界の大きさとＣ／Ｎとの関係を測定した実験結果のグラフを示す。
ここでは、記録するマークのマーク長を６０ｎｍ、７５ｎｍ、９０ｎｍ、１５０ｎｍの４種類について、それぞれの磁界の大きさとＣ／Ｎとを測定した。
このグラフによれば、一般に、記録磁界が大きくなれば、Ｃ／Ｎも大きくなり良好な記録特性を示すようになることがわかる。
また、マーク長は長いほど、Ｃ／Ｎは高い値を示すことがわかる。
さらに、マーク長が７５ｎｍ、９０ｎｍおよび１５０ｎｍでは、ある磁界の大きさのところで、Ｃ／Ｎ値は飽和してしまっている。
たとえば、マーク長が１５０ｎｍの場合、磁界の大きさを３００〔Ｏｅ〕以上にしても、Ｃ／Ｎ値は３８〔ｄＢ〕で一定のままであり、それ以上よくならない。
【０００７】
これは、比較的長い１５０ｎｍのマーク長のマークを記録するためには、３００〔Ｏｅ〕程度の磁界を印加すれば十分であることを意味する。
同様に、マーク長９０ｎｍのマークを記録するためには、３５０〔Ｏｅ〕程度の磁界、マーク長７５ｎｍのマークを記録するためには４００〔Ｏｅ〕程度の磁界を印加すればよいことを意味する。
また、現在の光磁気記録媒体で利用されているマークの最短マーク長は、２００〜３００ｎｍ程度であり、図６に示したマーク長よりも十分に長いので、同程度のＣ／Ｎを得るためには、３００〔Ｏｅ〕よりも小さな磁界を印加すればよかった。
【０００８】
ところが、高密度化の要求に対応するために、記録するマークのマーク長を小さくしていった場合、図６に示すように、できるだけ高いＣ／Ｎを得るためには、マーク長が小さくなればなるほど、大きな磁界を必要とすることがわかった。すなわち、短マークを記録するためには、比較的大きな磁界を印加する必要があるが、長マークを記録する場合には、比較的小さな磁界を印加すればよいことがわかる。
言いかえれば、コイルに高周波電流を印加することが必要な短マークを記録する場合は、比較的大きな磁界を印加しなければならないので発熱が大きいが、コイルに印加する電流の周波数が低くてもよい長マークを記録する場合は、比較的小さな磁界を印加すればよいので、発熱を抑えることができることがわかる。
【０００９】
以上のように図６に示した測定結果と考察によれば、記録するマーク長に対応して、磁界の大きさを変化させれば、効果的に発熱が抑えられる。
そこで、この発明は、以上のような事情を考慮してなされたものであり、従来は、記録マークのマーク長およびコイルへの印加電流の周波数によらず、常に一定の磁界が印加されるようにしていたのに対し、この発明では、記録マークのマーク長および印加電流の周波数に対応させて、印加する磁界の強さを制御することにより、コイルの温度上昇を抑え、記録特性の乱れを少なくした光磁気記録装置および記録方法を提供することを課題とする。
【課題を解決するための手段】
【００１０】
この発明は、レーザ光を生成する光源と、光源から出射されたレーザ光を光情報記録媒体に集光するレンズ群と、光源から出射されるレーザ光のタイミングを制御する光源制御部と、光情報記録媒体上のレーザ光の照射位置の近傍に磁界を発生させる磁界生成部と、磁界生成部によって発生する磁界の大きさを制御する磁界制御部と、前記光源制御部および磁界制御部に、光情報記録媒体に書込むべきマークに対応した制御情報を与える書込部とを備え、磁界制御部が、与えられた制御情報から書込むべきマークのマーク長の情報を抽出し、マーク長に対応した大きさの磁界が発生するように磁界生成部を制御することを特徴とする光磁気記録装置を提供するものである。
【００１１】
ここで、前記磁界制御部は、マーク長が長いほど発生する磁界の大きさが小さくなるように磁界生成部を制御するようにする。
また、前記磁界生成部がコイルからなり、前記磁界制御部が少なくとも一つのコンデンサを有して前記コイルと磁界制御部とによって共振回路を形成し、共振回路が書込むべきマーク長に対応して周波数が変化する電流を生成し、その周波数の特性が、電流の周波数が低いほど、すなわち、マーク長が長いほど、コイルで発生する磁界の大きさも小さい特性となるようにしてもよい。
【００１２】
また、この発明は、光情報記録媒体上の所定の位置を加熱するための光を生成する光源と、光源を制御する光源制御部と、光情報記録媒体に書込むべきマークに対応した磁界を生成する磁界生成部と、磁界生成部を制御する磁界制御部と、前記光源制御部と磁界制御部とに書込むべきマークに対応した制御情報を与える書込部とを備えた光磁気記録装置の磁界印加方法であって、前記書込部が、入力されたデータに対応したマーク長に関する情報を含む制御情報を光源制御部と磁界制御部に与えると、前記光源制御部は、与えられた制御情報から光源から出射する光の発光タイミングを示す情報を生成して光源に与え、前記磁界制御部は、与えられた制御情報のうちマーク長に関する情報を用いて、そのマーク長に対応した大きさの磁界が磁界生成部から発生されるように、磁界の大きさおよび印加タイミングを示す情報を生成して磁界生成部に与え、与えられた発光タイミングで前記光源から光が出射されるのと同期して、与えられた印加タイミングで前記磁界生成部から所定の大きさの磁界が発生され、光情報記録媒体上の加熱位置に、磁気情報が書き込まれることを特徴とする光磁気記録装置の磁界印加方法を提供するものである。
【発明の効果】
【００１３】
この発明によれば、媒体に書込むマークのマーク長に対応させて、印加する磁界の大きさを制御しているので、マーク長に対応した必要十分な大きさの磁界が印加され、媒体近傍の発熱を制御することができ、データ記録の安定性、信頼性を向上できる。
また、マーク長が長いほど印加磁界の大きさを小さくしているので、比較的マーク長の長いマークを書込むときの発熱を抑えることができる。
さらに、良好なＣ／Ｎを得るためには、比較的大きな磁界を印加する必要がある短マークの書込み時において、長マークの書込みよりも大きな磁界を印加するように磁界を制御させるので、短マークの書込み時における安定性、信頼性を向上することができる。
【発明を実施するための最良の形態】
【００１４】
以下、図面を使用して本発明の実施の形態を説明する。なお、以下の実施例の記載によって、この発明が限定されるものではない。
【００１５】
＜光磁気記録装置の構成＞
図１に、この発明の一実施例の光磁気記録装置の概略構成ブロック図を示す。
図１の構成は、主として光磁気記録媒体にデータを記録する機能ブロックに関係する部分を示している。
図１において、ＬＤ１はレーザ光１１を生成するレーザダイオード（光源）である。ＬＤドライバ６は、媒体の所定の位置にレーザ光１１を照射するように、ＬＤ１から照射されるレーザ光のＯＮ、ＯＦＦを制御するものであり、光源制御部に相当する。
コリメートレンズ２は、ＬＤ１から出射されたレーザ光１１を光軸に対してほぼ平行な光線とするためのレンズであり、対物レンズ３は、レーザ光を所定の位置Ｐに集中させるためのレンズであり、両レンズがレンズ群に相当する。
【００１６】
光磁気記録媒体４は、データを書き換え可能なように格納するディスクであり、図示しないスピンドルモータ上に設置され、記録処理および再生処理の際には、回転させられる。
コイル５は、対物レンズ３および光磁気記録媒体４の近傍に配置され、媒体４の近傍に磁界を発生するためのものであり、磁界生成部に相当する。
コイル５を流れる電流を高速にＯＮあるいはＯＦＦすることにより、または、電流の流れる方向を高速に切り替えることにより、レーザ光が照射されることにより温度上昇した媒体４の所定の位置Ｐに磁気を記録する。
【００１７】
コイルドライバ７は、コイル５に流す電流Ｉを制御するものであり、この発明では、書き込むマーク長に対応させてコイル５に流す電流を制御する部分（磁界制御部）である。
従来も、このコイルドライバ７に相当するブロックを有していたが、書き込むデータ（０または１）に対応させてただ単に電流の流れる方向を制御するだけであり、書き込むデータのマーク長に関係なく、コイルに一定の電流が与えられるので、コイルから一定の大きさの磁界が出力されていた。
コイルドライバ７の具体的な実施例については後述する。
【００１８】
ＣＰＵ１０は、媒体に書き込むべきデータを書込部８に与えるものである。書込部８は、与えられたデータからマーク長を検出し、そのマーク長に対応する情報（制御情報）をコイルドライバ７に与え、これと同期させて、レーザ光１１を出力するタイミング（発光タイミング）をＬＤドライバ６に対して与えるものである。
読出部９は、ＣＰＵからの指示により読み出しタイミングをＬＤドライバ６に与え、レーザ光１１を媒体４に照射した後の反射光を検出して、読み出した情報をＣＰＵ１０へ与えるものである。
【００１９】
１つのデータ“１”に相当するマークを媒体のある位置Ｐに書込む処理に注目すると、従来と同様に、その位置Ｐにレーザ光を照射するのと同時に、そのマークを書込むことが可能な一定の電流をコイル５に流し、一定の磁界をその位置Ｐの付近に発生させる。
これにより、レーザ光１１が照射された位置Ｐが加熱された状態となるので、印加された磁界に対応した磁化が書き込まれる。
【００２０】
この発明では、異なるマーク長のマークを書込む場合、マーク長に対応してコイル５に流す電流の値を変化させる。すなわち印加磁界の大きさを変化させる。
一般に、短いマークを書込むときは、オンオフを切り替える印加電流の周波数ｆは比較的高く、長いマークを書込むときは、その周波数ｆは比較的低い。すなわち書込むべきマークのマーク長の長短と、印加する電流の周波数ｆの高低とは１対１に対応し、マーク長が比較的長い場合は周波数ｆは低く、マーク長が比較的短い場合は周波数ｆは高くなる。
【００２１】
＜印加磁界の特性例１＞
図２に、この発明におけるコイルに与える印加電流の周波数ｆ〔Ｈｚ〕と、印加磁界Ｂ〔Ｏｅ〕との関係の一実施例の概略グラフを示す。
ここで、周波数ｆが比較的小さいａ1では、書込まれるマークのマーク長Ｌは長く、周波数ｆが比較的大きなａ2では、書込まれるマークのマーク長Ｌは短い。
【００２２】
図２の点線で示したグラフは、従来における印加電流の周波数ｆと印加磁界Ｂとの関係を示したものであり、図２の実線のグラフがこの発明で用いる周波数ｆと印加磁界Ｂとの関係を示したものである。
コイルに印加する電流の周波数ｆは、ａ1〜ａ2の範囲内を利用するものとする。
従来の点線のグラフでは、周波数ｆ（マーク長Ｌ）がａ1からａ2（Ｌ１からＬ２）の範囲内において、常に一定の大きさの磁界Ｂｏを与えていることを示している。
【００２３】
一方、この発明の実線のグラフでは、周波数ｆ（マーク長Ｌ）がＣからａ2の範囲の場合は、従来と同様に一定の大きさの磁界Ｂｏを与えているが、それよりも低い周波数の範囲（ａ1からＣ）では、磁界Ｂｏよりも小さな磁界を与える。
言い換えれば、マーク長の短いマークを書き込むときは、従来と同様に比較的大きな磁界Ｂｏを印加するが、マーク長が比較的長いマークを書き込むときは、磁界Ｂｏよりも小さな磁界を印加する。
これは、図６で検討したように、比較的マーク長の長いマークを書込むときは、比較的小さな磁界でも十分なＣ／Ｎが得られるからである。このように、比較的マーク長の長いマークを書き込む時に、印加磁界を小さくしているので、コイル近傍の温度上昇を抑制することができ、安定した書込みが可能となる。
【００２４】
すなわち、図２の実線のグラフのように印加磁界を変化させることにより、長マークの書込み時における発熱を従来よりも抑えることができ、書込み（記録処理）の安定性、信頼性を向上させることができる。
図２の周波数ｆの点Ｃをどの程度の数値にするかは、使用する光磁気媒体の記録線密度、周速などの設計仕様により異なるので、一意的に定めることはできない。一例として例示するならば、たとえば、下限の周波数ａ1＝６．２５ＭＨｚ、上限の周波数ａ2＝２５ＭＨｚとした場合（あるいは上限のマーク長Ｌ1＝３２０ｎｍ、下限のマーク長Ｌ2＝８０ｎｍ）、磁界Ｂを小さくする点Ｃの周波数は１６．７ＭＨｚ程度（マーク長＝１２０ｎｍ）とすればよい。
【００２５】
＜印加磁界の特性例２＞
図３に、この発明において、周波数ｆと印加磁界Ｂとの関係の他の実施例の概略グラフを示す。
図３において、周波数Ｃからａ2までの高周波領域の印加磁界Ｂを、従来の磁化の大きさよりも大きくしている点が、図２と異なる。
図６によれば、比較的マーク長の短いマークを書込む場合は、Ｃ／Ｎが飽和する磁界の大きさは比較的大きく、比較的大きな磁界を印加した方がＣ／Ｎが大きくなる。
したがって、従来印加していた大きさの磁界Ｂｏが飽和磁界でない場合は、比較的短いマーク長のマークを書込むときには、この磁界Ｂｏよりも大きな磁界をかけた方が、Ｃ／Ｎが向上し、より確実に安定した書込みができる。
【００２６】
図３の実線のグラフのように印加する磁界を変化させることにより、長マークの書込み時における発熱抑制効果と共に、短マークの書込み時におけるＣ／Ｎの向上効果を得ることができる。
【００２７】
＜印加磁界の制御方法の具体例１＞
次に、図２または図３に示す特性の磁界を印加するための光磁気記録装置の主要部の具体的構成例について説明する。
図４に、この発明の光磁気記録装置の磁界制御を行う部分の一実施例の構成ブロック図を示す。ここで、磁界制御部に相当するコイルドライバ７は、共振回路２１、極性反転部２２、電流源２３とから構成されている。
図４では、共振回路２１とコイル５とで磁界発生部が形成されるが、これらによって図２または図３に示すような特性を持つ磁界が発生させられる。
【００２８】
すなわち、極性反転部２２から与えられた電流Ｉの周波数ｆに対応して、共振回路２１がコイル５に流れる電流を制御し、コイル５から発生する磁界の大きさを制御する。ここで、たとえば電流Ｉの周波数ｆが図２のＣよりも小さい場合、言いかえればマーク長が比較的長い場合、共振回路２１によってコイル５に流れる電流は小さく制御され、その結果印加磁界Ｂも小さくなる。
また、電流Ｉの周波数ｆが図２のＣよりも大きい場合、言いかえればマーク長が比較的短い場合、印加磁界Ｂｏが発生される程度の電流がコイル５に流されるように、共振回路２１が機能する。
【００２９】
電流源２３は、一定値の電流Ｉを発生するものであり、書込部８からのＯＮまたはＯＦＦを示す信号により、電流の出力有無および出力のタイミングが制御される。
極性反転部２２は、コイルから発生される磁界の向きを制御するものであり、書込部８からの反転信号により、電流の流れる方向を決める極性が制御される。
図４の共振回路２１は、たとえば、抵抗、コンデンサ、コイル等の素子を組み合わせることにより構成することができ、これらの素子の回路定数を適切に決定することにより図２または図３のような周波数特性を実現することができる。
【００３０】
＜印加磁界の制御方法の具体例２＞
図５に、この発明の光磁気記録装置の磁界制御を行う部分の一実施例の構成ブロック図を示す。
ここでは、図４の実施例とは異なり、書込部８でマーク長を検出し、そのマーク長に対応した電流をコイル５に与えるようにする。
図５において、書込部８は、マーク長検出部３１と反転制御部３３から構成され、コイルドライバ７は極性反転部２２、電流源２３、電流調整部２４とから構成される。
なお、説明上、各機能ブロックを図５のように分けたが、マーク長検出部３１および反転制御部３３をコイルドライバ７に含めてもよい。
【００３１】
書込部８には、ＣＰＵ１０から書込データ（たとえば、２値データ列０、０、１、０、１、１、１、・・・）が順次与えられる。
マーク長検出部３１では、この書込データ列をもとに、書込むべきマークのマーク長が検出される。
検出されたマーク長に対応した情報（マーク長情報）が電流調整部２４に出力される。
マーク長検出部３１は、たとえば、カウンタ３２、バッファによって構成される。
【００３２】
カウンタ３２は、入力される２値データ列の“１”の数をカウントし、カウントされた“１”の数から、マーク長Ｌの情報を出力する。
また、反転制御部３３は、極性反転部２２に与える反転信号を生成するものであるが、書込みデータとマーク長検出部３１によって検出されたマーク長Ｌとから、反転信号を出力するタイミングを判断して、電流調整部２４から出力される電流Ｉの出力タイミングと同期するように、反転信号を出力する。
たとえば、書込みデータとして“１”が入力されたとき、反転制御部３３から反転信号が極性反転部２２に出力され、極性反転部２２は、この反転信号に基づいて、極性反転を行う。
【００３３】
電流調整部２４は、与えられたマーク長情報を用いて、予めマーク長と対応付けられた電流Ｉを出力するものである。
たとえば、マーク長Ｌが１〜５の５種類あったとすると、このマーク長に対応した数値情報（１、２、３、４、５のいずれか）が、マーク長検出部３１から電流調整部２４に与えられる。
電流調整部２４には、５つのマーク長情報と出力すべき電流値Ｉとを対応づけた情報テーブルを予め記憶しておく。この情報テーブルの中には、マーク長情報（１、２・・・）に対してそれぞれ出力電流値（Ｉ1、Ｉ2・・・）を対応させて予め記憶しておく。
この出力電流値は、直接コイル５に流れる電流Ｉの大きさを示しており、コイル５から発生される印加磁界に対応する。たとえば、比較的長いマーク長情報＝“４”に対しては、小さな印加磁界を発生する小さな電流値Ｉ4が対応付けられて記憶される。
【００３４】
また、電流調整部２４には、電流源２３から一定の大きさの電流が与えられるが、この電流を、入力されたマーク長情報に対応した電流値（Ｉ、Ｉ2・・・）に変更して出力する。
図２に示した特性を実現する場合、電流の周波数ｆがＣよりも低い周波数に相当するようなマーク長情報が与えられたとき、電流調整部２４は、情報テーブルからそのマーク長情報に対応する出力電流値を決定し、印加磁界Ｂｏよりも小さな磁界を発生するための電流Ｉを出力する。これにより、長マークの書込み時において、発熱を抑えることができる。
また、電流調整部２４に周波数Ｃよりも大きな周波数に相当するマーク長情報が与えられたとき、情報テーブルからは印加磁界Ｂｏを発生することのできる出力電流値が読み出され、その電流値の電流Ｉが出力される。
【００３５】
一方、図３に示した特性を実現する場合において、周波数Ｃよりも大きな周波数に相当するマーク長情報が与えられたとき、情報テーブルから印加磁界Ｂｏよりも大きな磁界を発生することのできる出力電流値が読み出され、その電流値の電流Ｉが電流調整部２４から出力される。これにより、短マークの書込み時におけるＣ／Ｎを向上させることができる。
図５において、上記のいずれの場合も、電流調整部２４から出力された電流Ｉは、極性反転部２２によって決められた極性でコイル５に出力される。
【００３６】
以上のように、図４または図５に示したような構成によれば、書き込むべきマークのマーク長に対応した値の電流をコイル５に流すことができるので、長マークの書込み時には印加電流Ｉを小さくすることより印加磁界を小さくして発熱を抑えることができる。
また、短マークの書込み時において、印加電流を大きくすれば、Ｃ／Ｎを向上させることができ、記録の安定性、信頼性を向上できる。
【００３７】
また、この発明では、長マークの書込み時における発熱の抑制を目的の一つとしているが、図２の特性を忠実に実現する必要はなく、長マークであると確認できた時点で印加磁界を小さくして、発熱を抑えるようにしてもよい。
たとえば、初めはマーク長が１（短マーク）であるとして、短マークの書込みに適した比較的高い磁界（図２のＢｏ）を印加するようにしておく。磁界を反転させた時点で書込みマーク長が決定するが、次のマークも同一方向であり、印加磁界を反転させない場合、書込みマーク長が２以上であることが決定する。したがってマーク長２に適するように印加磁界を小さくしてやる。このように同一方向のマークが続くことにより、印加磁界を反転させなければ、マーク長が３以上、４以上、あるいはＮ以上であることが確定する。そしてそれに合わせてマーク長３、マーク長４、あるいはマーク長Ｎに適した磁界を印加することにより、あらかじめマーク長がわかっていなくても、マーク長に応じて発熱を抑えることができる。
【図面の簡単な説明】
【００３８】
【図１】この発明の光磁気記録装置一実施例の構成ブロック図である。
【図２】この発明の印加電流の周波数と印加磁界との関係グラフである。
【図３】この発明の印加電流の周波数と印加磁界との関係グラフである。
【図４】この発明の光磁気記録装置の磁界制御部分の一実施例の構成ブロック図である。
【図５】この発明の光磁気記録装置の磁界制御部分の一実施例の構成ブロック図である。
【図６】磁界の大きさと、Ｃ／Ｎとの関係の実験結果のグラフである。
【符号の説明】
【００３９】
１    ＬＤ
２    コリメートレンズ
３    対物レンズ
４    媒体
５    コイル
６    ＬＤドライバ
７    コイルドライバ
８    書込部
９    読出部
１０    ＣＰＵ
２１    共振回路
２２    極性反転部
２３    電流源
２４  電流調整部
３１    マーク長検出部
３２    カウンタ
３３    反転制御部
【図１】
2005276305.tif 000003
【図２】
2005276305.tif 000004
【図３】
2005276305.tif 000005
【図４】
2005276305.tif 000006
【図５】
2005276305.tif 000007
【図６】
2005276305.tif 000008